(57)【特許請求の範囲】
【請求項１】
被貯留物を貯留する円筒形貯槽（２）と、該円筒形貯槽（２）の下部に設けられる逆円錐台形のホッパ部（３）と、前記円筒形貯槽（２）に隣接して設けられ、かつ、内部に落下衝撃を緩和する通路を形成するとともに、底部を前記ホッパ部（３）と連通させるべく、該ホッパ部（３）のコーン角度（α）と同一角度又はコーン角度（α）よりも大きい角度の傾斜底面樋（５）を有する直方体形貯槽（６）と、を備え、
前記円筒形貯槽（２）上端には、小粒径で、かつ、楕円形に近い形状の穀粒を給穀するための穀粒投入口（７）を備える一方、前記直方体形貯槽（６）上端には、穀粒よりも粒径が大きく、かつ、丸みを帯びた豆類を給穀するための豆類投入口（９）を備えたことを特徴とするサイロ構造。
【請求項２】
前記ホッパ部（３）下端には、前記円筒形貯槽（２）及び／又は前記直方体形貯槽（６）に貯留された貯留物を排出する排出口（１１）を設けてなる請求項１記載のサイロの構造。
【請求項３】
前記円筒形貯槽（２）の側壁（４）は、その一部が円筒形貯槽（２）と直方体形貯槽（６）とを仕切る仕切壁（４ａ）となっており、該仕切壁（４ａ）の鉛直方向には、前記直方体形貯槽（６）側から投入された粒体が、前記円筒形貯槽（２）側に溢流する複数の溢流口（１３…）を穿設してなる請求項１又は２記載のサイロの構造。
【請求項４】
前記円筒形貯槽（２）側の各溢流口（１３…）直上には、前記円筒形貯留槽（２）側から投入した粒体が前記直方体形貯槽（６）側に溢流しないよう、各溢流口（１３…）を覆う傘状部材（１５…）をそれぞれ設けてなる請求項３記載のサイロの構造。
【請求項５】
前記直方体形貯槽（６）内部に形成される落下衝撃を緩和する通路は、複数の流穀板（１６…）を順次互い違いに配設してジグザグ状の落下通路に形成したものである請求項１から４のいずれかに記載のサイロ構造。
【請求項６】
前記直方体形貯槽（６）内部に形成される落下衝撃を緩衝する通路は、複数の小型ホッパ（１８…）を鉛直方向に連続的に配設した落下通路に形成したものである請求項１から４のいずれかに記載のサイロ構造。
【発明の詳細な説明】
【技術分野】
【０００１】
本発明は、米、麦など穀粒、又は小豆、大豆など豆類のいずれかを選択して貯蔵することができるサイロの構造に関するものであり、特に、豆類を貯蔵する場合は給穀時に粒の亀裂、割れ又は損傷を防止することが可能なサイロの構造に関する。
【背景技術】
【０００２】
従来、サイロの構造に関して特許文献１乃至３に記載されたものがある。
【０００３】
特許文献１に記載されたものは、サイロの排出口近傍で穀粒同士がアーチ構造を形成して排出口が閉塞するのを防止するために、サイロ内部に下面が鉛直線に対して傾斜した連続もしくは断続の螺旋状のフィンを設けた構造である。これにより、螺旋状のフィンの下側の面にアーチ応力とは別の粉粒体圧を受け、この部分の粉粒体圧がフィンの陰になり他の部分よりも小さくなるため、この部分にある貯留物が極めて崩壊されやすくなり、アーチが形成されつつあっても、フィンの下側において崩壊が生じ、以後次々と崩壊が進むようになるため、アーチの形成が阻止されるものである。
【０００４】
特許文献２に開示されたものは、大豆など豆類を給穀する際に高所からの落下時の衝撃力による外皮の裂傷を防止するため、サイロの周壁面に沿って上下方向に螺旋状の流下供給樋を設け、該流下供給樋の上側端部をサイロの穀物供給口に連結した構造である。これにより、流下供給樋の上側端部に供給された豆粒は、螺旋状の供給樋を低速状に滑流し、その下端から溢出し、また、豆粒は均量的に集積するため、衝撃力による粒面の裂傷を生ずることなく、また、穀粒をサイロ内部に安全に、かつ円滑に流下させて給穀能率を向上できるという作用・効果がある。
【０００５】
特許文献３に開示されたものは、穀物の貯蔵温度及び湿度のムラを調整し、穀物の品質低下を防止するために、直立筒（サイロに相当）の内部に、多孔直立風管を配設し、同風管の下端開口部に向かう送風機を設け、多孔風管の外周空間に螺旋階段状の穀粒多孔シュートを配設した構造である。これにより、直立筒の内部に穀粒が投入されると、穀粒多孔シュートを螺旋階段状に多孔直立風管に沿って螺旋状に傾斜底板まで下降し、同風管から横向きに排出される風を受け、風は多孔シュートを通過し、さらに直立筒の通風板を通過して外気に放出され、上記の風によって通気乾燥されるといった作用・効果を奏する。
【０００６】
上記特許文献１乃至３に開示されたサイロ構造にあっては、いずれもサイロ内部に鉛直下方に向かって螺旋状のフィン、螺旋状の流下供給樋又は螺旋階段状の穀粒多孔シュートを設けたものである。これにより、小豆、大豆など比較的粒径が大きく、かつ、丸みを帯びた豆類を貯留する場合は、安息角（例えば、30°）を緩く考えて設計しても、螺旋状のフィン、流下供給樋及び穀粒多孔シュート上を低速で転動するために、フィン、流下供給樋及びシュート上にそのまま残留するおそれは少なくなる。しかしながら、米又は麦など比較的粒径が小さく、かつ、楕円形に近い形状の穀粒を貯留する場合は、安息角（例えば、45°）を急にする考えに基づいて設計しなければ、穀粒の流下が困難であり、フィン、流下供給樋及びシュート上に穀粒が堆積するためにサイロから完全に排出されず、残留してしまう問題があった。以上のように、大豆など豆類、又は米、麦など穀粒のいずれかを選択して貯蔵する兼用サイロの構造を設計するには、従来から課題があった。
【０００７】
また、特許文献１の第11図のように、サイロ本体の中心を縦貫する軸の外周に、当該軸に巻付くようにフィンを取り付けた実施例にあっては、穀粒の排出時に流動圧にて軸及びフィンが破損するおそれがあった。
【先行技術文献】
【特許文献】
【０００８】
【特許文献１】特開昭５６−６４９８４号公報
【特許文献２】特開昭５８−１５５０１７号公報
【特許文献３】特公平３−１６０８４号公報
【発明の概要】
【発明が解決しようとする課題】
【０００９】
上記問題点にかんがみ本発明は、米、麦などの穀粒、又は小豆、大豆などの豆類のいずれかを選択して貯蔵することができるサイロの構造を提供し、特に、豆類を貯蔵する場合は給穀時に粒の亀裂、割れ又は損傷を防止し得て、強固なサイロ構造を提供することを技術的課題とする。
【課題を解決するための手段】
【００１０】
上記の課題を解決するため本発明は、被貯留物を貯留する円筒形貯槽（２）と、該円筒形貯槽（２）の下部に設けられる逆円錐台形のホッパ部（３）と、前記円筒形貯槽（２）に隣接して設けられ、かつ、内部に落下衝撃を緩和する通路を形成するとともに、底部を前記ホッパ部（３）と連通させるべく、該ホッパ部（３）のコーン角度（α）と同一角度又はコーン角度（α）よりも大きい角度の傾斜底面樋（５）を有する直方体形貯槽（６）と、を備え、前記円筒形貯槽（２）上端には、小粒径で、かつ、楕円形に近い形状の穀粒を給穀するための穀粒投入口（７）を備える一方、前記直方体形貯槽（６）上端には、穀粒よりも粒径が大きく、かつ、丸みを帯びた豆類を給穀するための豆類投入口（９）を備える、という技術的手段を講じた。これにより、高所からの落下衝撃力に影響のない米、麦などの穀粒は、地上から２０〜３０ｍ程度の高さの円筒形貯槽（２）上部からの給穀が可能となり、一方で、落下衝撃力による外皮の裂傷を防止する必要がある大豆など豆類は、落下衝撃力が緩和される通路を備えた直方体形貯槽（６）上部からの給穀が可能となる。このため、米、麦などの穀粒、又は小豆、大豆などの豆類のいずれかを選択して貯蔵することができるサイロの構造を提供することができる。
【００１１】
そして、請求項２によれば、前記ホッパ部（３）下端に、前記円筒形貯槽（２）及び／又は前記直方体形貯槽（６）に貯留された貯留物を排出する排出口（１１）を設けているから、米、麦などの穀粒は、円筒形貯槽（２）上部から給穀するとともに、排出時にはホッパ部（３）下部の排出口（１１）から排出され、大豆などの豆類は、直方体形貯槽（６）上部から給穀するとともに、排出時にはホッパ部（３）下部の排出口（１１）から排出することができる。この際、ホッパ部（３）の傾斜面が左右非対称（一方側が他方側よりも傾斜底面樋（５）の分だけ長くなっている）となっているから、粒同士がアーチ構造を形成するおそれは極めて低く、ホッパ部（３）下部の排出口（１１）から速やかに排出することができる。そして、粒同士のアーチ構造の形成を阻止する補助装置の設置が不要で、強固なサイロ構造となり、極めて実用性が高い。
【００１２】
また、請求項３によれば、前記円筒形貯槽（２）の側壁（４）は、その一部が円筒形貯槽（２）と直方体形貯槽（６）とを仕切る仕切壁（４ａ）となっており、該仕切壁（４ａ）の鉛直方向には、前記直方体形貯槽（６）側から投入された粒体が、前記円筒形貯槽（２）側に溢流する複数の溢流口（１３…）を穿設したことを特徴とする。
【００１３】
さらに、請求項４によれば、前記円筒形貯槽（２）側の各溢流口（１３…）直上には、前記円筒形貯留槽（２）側から投入した粒体が前記直方体形貯槽（６）側に溢流しないよう、各溢流口（１３…）を覆う傘状部材（１５…）をそれぞれ設けていることを特徴とする。
【００１４】
そして、請求項５によれば、前記直方体形貯槽（６）内部に形成される落下衝撃を緩和する通路が、複数の流穀板（１６…）を順次互い違いに配設してジグザグ状の落下通路に形成されていることを特徴とする。
【００１５】
請求項６によれば、前記直方体形貯槽（６）内部に形成される落下衝撃を緩和する通路が、複数の小型ホッパ（１８…）を鉛直方向に連続的に配設した落下通路に形成されていることを特徴とする。
【発明の効果】
【００１６】
請求項１記載の発明によれば、高所からの落下衝撃力に影響のない米、麦などの穀粒は、地上から２０〜３０ｍ程度の高さの円筒形貯槽（２）上部からの給穀が可能となり、一方で、落下衝撃力による外皮の裂傷を防止する必要がある大豆など豆類は、落下衝撃力が緩和される通路を備えた直方体形貯槽（６）上部からの給穀が可能となる。このため、米、麦などの穀粒、又は小豆、大豆などの豆類のいずれかを選択して貯蔵することができるサイロの構造を提供することができる。
【００１７】
請求項２記載の発明によれば、米、麦などの穀粒は、円筒形貯槽（２）上部から給穀するとともに、排出時にはホッパ部（３）下部の排出口（１１）から排出し、大豆など豆類は、直方体形貯槽（６）上部から給穀するとともに、排出時にはホッパ部（３）下部の排出口（１１）から排出することができる。この際、ホッパ部（３）の傾斜面が左右非対称（一方側が他方側よりも傾斜底面樋（５）の分だけ長くなっている）となっているから、粒同士がアーチ構造を形成するおそれは極めて低く、ホッパ部（３）下部の排出口（１１）から速やかに排出することができる。そして、粒同士のアーチ構造の形成を阻止する補助装置の設置が不要であり、強固なサイロ構造となり、極めて実用性が高い。
【図面の簡単な説明】
【００１８】
【図１】本発明に係るサイロの概略斜視図である。
【図２】同サイロの概略縦断面図である。
【図３】図１の矢視Ａで示す平面図である。
【図４】図２のＢ部拡大図である。
【図５】落下衝撃緩衝用通路の別実施例を示すサイロの概略縦断面図である。
【図６】大豆などの豆類をサイロに給穀する際の作用図である。
【図７】米麦などの穀粒をサイロに給穀する際の作用図である。
【発明を実施するための形態】
【００１９】
以下、図面に基づき、本発明の好適な実施の形態について説明する。図１は本発明に係るサイロの概略斜視図、図２は同サイロの概略縦断面図、図３は図１の矢視Ａで示す平面図及び図４は図２のＢ部拡大図である。
【００２０】
本発明のサイロ１の構造は、被貯留物を貯留する円筒形貯槽２と、該円筒形貯槽２の下部に設けられる逆円錐台形のホッパ部３と、角形機枠１７内部に落下衝撃を緩和する通路Ｔを形成するとともに、底部を連通口１４により前記ホッパ部３と連通させるべく、該ホッパ部３のコーン角度αと同一角度の傾斜底面樋５を有する直方体形貯槽６とを備えている。前記傾斜底面樋５はコーン角度αよりも大きい角度の傾斜面であればよい。しかしながら、コーン角度αよりも小さい角度の緩い傾斜面にすると、穀粒が詰まったり、残留が生じたりするおそれがあるので適当ではない。前記円筒形貯槽２上端には、米又は麦など比較的粒径が小さく、かつ、楕円形に近い形状の穀粒のみを給穀するための穀粒投入口７を備えた丸形天蓋８を被着する一方、前記直方体形貯槽６上端には、小豆、大豆など穀粒よりも粒径が大きく、かつ、丸みを帯びた豆類のみを給穀するための豆類投入口９を備えた角形天蓋１０を被着する。さらに、前記ホッパ部３下端には、前記円筒形貯槽２及び／又は前記直方体形貯槽６に貯留された貯留物を排出する排出口１１が設けられる。符号１２は円筒形貯槽２内の点検用マンホールである。
【００２１】
前記円筒形貯槽２の側壁４は、その一部が円筒形貯槽２と直方体形貯槽６とを仕切る仕切壁４ａとなっており、該仕切壁４ａの鉛直方向には、前記直方体形貯槽６側から投入された粒体が貯槽６内に堆積していくごとに、前記円筒形貯槽２側に順次溢流させる複数の溢流口１３…が穿通されている（図２参照）。一方で、円筒形貯槽２側の各溢流口１３…直上には、前記円筒形貯留槽２側から投入した粒体が前記直方体形貯槽６側に溢流しないよう、各溢流口１３…を覆う傘状部材１５…が設けられる。
【００２２】
前記直方体形貯槽６内部に形成される落下衝撃を緩和する通路Ｔは、例えば、図１及び図２に示すように、複数の流穀板１６…を順次互い違いに配設してジグザグ状の落下通路Ｔに形成したり、図５に示すように、複数の小型ホッパ１８…を鉛直方向に連続的に配設した落下通路Ｔに形成したりするとよい。これにより、直方体形貯槽６の豆類投入口９から投入された豆類は、流穀板１６…又は小型ホッパ１８…に順次当たって下方に案内され、落下衝撃力が緩和されながら流下することとなり、粒の亀裂、割れ又は損傷を防止されることになる。
【００２３】
図１、図２、図３及び図５等に符号１９で表記された部材は、角形機枠２０内に設けられた点検用フラップである。そして、前記直方体貯槽６の外郭を構成する角形機枠１７及び点検用タラップ１９を収容した角形機枠２０は、いずれも、隣り合う２基の円筒形貯槽２間の間隙部に配置すると、設置面積を有効に活用することができる。
【００２４】
以下、図６及び図７に基づいて上記構成のサイロ１の作用を説明する。図６は小豆、大豆などの豆類をサイロ１に給穀する際の作用図であり、図７は米、麦などの穀粒をサイロ１に給穀する際の作用図である。
【００２５】
図６に示すように、小豆、大豆など粒の亀裂、割れ又は損傷を防止する必要がある豆類は、直方体形貯槽６上部の豆類投入口９から給穀される。そして、豆類は、流穀板１６…に順次当たって下方に案内されながら流下し、直方体形貯槽６底部では、傾斜底面樋５を滑流するとともに、連通口１４からホッパ部３に順次堆積していく（図６の(a)参照）。
【００２６】
さらに、豆類を追加投入していくと、連通口１４を介して直方体形貯槽６側に順次堆積して豆類が充填されていくが、円筒形貯槽２側に溢流させる溢流口１３からも豆類が溢れ出し、直方体形貯槽６とともに、円筒形貯槽２に豆類が充填されることになる（図６(b)参照）。
【００２７】
同様に豆類を追加投入していくと、直方体形貯槽６及び円筒形貯槽２に豆類が充填されて満量付近となる（図６(c)参照）。以上のように、豆類は流穀板１６…に順次当たって下方に案内され落下衝撃力が緩和されながら貯留されるので、給穀時の粒の亀裂、割れ又は損傷を防止することができる。
【００２８】
一方、図７に示すように、高所からの落下衝撃力に影響のない米、麦などの穀粒は、円筒形貯槽２上部の穀粒投入口７から給穀される。そして、穀粒は地上から２０〜３０ｍ程度の高さから落下してホッパ部３底部から順次山状に堆積することになる（図７(a)参照）。
【００２９】
そして、前記溢流口１３直上には、当該溢流口１３を覆う傘状部材１５が設けられている。これにより、穀粒の堆積高さが次第に高くなっても、溢流口１３が傘状部材１５によって遮られ、前記直方体形貯槽６側に溢流することはない（図７(b)参照）。同様に穀粒を追加投入していくと、円筒形貯槽２に穀粒が充填されて満量付近となる（図７(c)参照）。
【００３０】
なお、豆類又は穀粒を排出する際は、ホッパ部３下部の排出口１１を開放すれば機外に排出することができる。この際、ホッパ部３の傾斜面は左右非対称（一方側が他方側よりも傾斜底面樋５の分だけ長くなっている）となっているため、粒同士がアーチ構造を形成するおそれは極めて低く、ホッパ部３下部の排出口１１から速やかに機外排出することができる。
【００３１】
以上のように本実施形態によれば、米、麦などの穀粒、又は小豆、大豆などの豆類のいずれかを選択して貯蔵することができるサイロの構造を提供するものであり、特に、豆類を貯蔵する場合は給穀時に粒の亀裂、割れ又は損傷を防止し得るものである。そして、穀粒の排出時には、粒同士のアーチ構造の形成を阻止する補助装置の設置が不要であり、強固なサイロ構造となり、極めて実用性が高い。
【００３２】
本発明は上記実施の形態に限るものでなく、発明の範囲を逸脱しない限りにおいて、その構成を適宜変更できることは言うまでもない。
【産業上の利用可能性】
【００３３】
本発明のサイロの構造は、米、麦などの穀粒、又は小豆、大豆などの豆類のいずれかを選択して貯蔵することができるサイロの構造を提供することが可能となった。
【符号の説明】
【００３４】
１    サイロ
２    円筒形貯槽
３    ホッパ部
４    側壁
４ａ    仕切壁
５    傾斜底面樋
６    直方体形貯槽
７    穀粒投入口
８    丸形天蓋
９    豆類投入口
１０    角形天蓋
１１    排出口
１２    点検用マンホール
１３    溢流口
１４    連通口
１５    傘状部材
１６    流穀板
１７    角形機枠
１８    小型ホッパ
１９    点検用タラップ
２０    角形機枠
【図１】
0005885067.tif 000002
【図２】
0005885067.tif 000003
【図３】
0005885067.tif 000004
【図４】
0005885067.tif 000005
【図５】
0005885067.tif 000006
【図６】
0005885067.tif 000007
【図７】
0005885067.tif 000008